(57)【要約】【課題】通常の表示制御とは別に、情報コードが表示されたときにはその情報コードを確実に読み取り可能な表示状態にして、ユーザーの使い勝手の向上を図り得る給湯器の表示装置を提供する。【解決手段】情報コード表示画面を表示するための表示操作があれば、その後に、その表示操作以外の他の表示操作が無ければ（Ｓ２１でＮＯ）、表示部に情報コード表示画面を表示し、バックライトを点灯状態に維持させる（Ｓ２２）。検出した照度に応じて、バックライトの輝度を低減したり（Ｓ２３でＹＥＳ，Ｓ２４）、増大したり（Ｓ２３でＮＯ，Ｓ２５）することができる。【選択図】図５
2018136111.tif 000002
【特許請求の範囲】
【請求項１】
所定の表示内容を表示するための表示部と、前記表示内容が記憶された記憶部と、前記表示部を照射するバックライトと、前記表示部に対する表示及び前記バックライトの作動を制御するための表示制御部とを備え、この表示制御部は、前記表示部への表示に対し前記バックライトを点灯させた状態が所定時間経過したとき、そのバックライトの輝度を弱く変更する省電力制御モードを備えた給湯器の表示装置であって、
前記表示制御部は、外部読み取り機器により読み取り可能な情報コードが前記表示部に表示されているとき、前記省電力制御モードの実行を停止するように構成されている、
ことを特徴とする給湯器の表示装置。
【請求項２】
請求項１に記載の給湯器の表示装置であって、
該表示装置の設置場所の近辺の照度を検出するための照度センサをさらに備え、
前記表示制御部は、前記照度センサにより検出された検出照度に応じて前記点灯中のバックライトの輝度を変更するように構成されている、給湯器の表示装置。
【請求項３】
請求項１又は請求項２に記載の給湯器の表示装置であって、
前記省電力制御モードは、給湯器の電源がオン状態で、かつ、前記給湯器の運転作動中の状態が所定の第１設定時間経過したとき、前記表示部に対する表示を継続しつつ、点灯状態の前記バックライトの輝度を弱く変更する一方、
給湯器の電源がオン状態で、かつ、前記給湯器の非運転作動中の状態が所定の第２設定時間経過したとき、前記表示部に対する表示を継続しつつ、点灯状態にある前記バックライトの輝度を弱く変更し、さらに、輝度変更したまま第３設定時間が経過したとき前記表示部に対する表示をオフにしかつ前記バックライトを消灯するように構成されている、給湯器の表示装置。
【発明の詳細な説明】
【技術分野】
【０００１】
本発明は、給湯器に用いられる表示装置に関する。
【背景技術】
【０００２】
例えば下記の特許文献１には、給湯器とは関係ないものの、情報コードを表示可能な携帯型情報コード表示装置において、この情報コード表示装置（例えばスマートフォン）に表示された情報コードを読取装置（例えばコードリーダー）に読み取らせる際、スマートフォンの表示部がコードリーダーの読み取り面に対し鉛直下方又は鉛直斜め下方に向いた状態になれば、表示部に情報コードを表示するとともに、バックライトを点灯するようにすることが開示されている。そして、これを実現させるために、スマートフォンに対し、その表示部が向く方向を検出可能な方向検出部を備えることが開示されている（同文献の特許請求の範囲及び要約参照）。
【先行技術文献】
【特許文献】
【０００３】
【特許文献１】特開２０１６−１１０６３４号公報
【発明の概要】
【発明が解決しようとする課題】
【０００４】
通常、給湯器には、その運転作動を操作したり、運転作動の状況を表示させたりするためのリモコンが接続され、かかるリモコンが台所や浴室の壁面に対し表示部を前方に向けて設置されている。一方、近年、かかる給湯器の機能の増大又は進化に伴い、その取扱説明書の内容も増大傾向にある。そこで、かかるリモコンの表示部を利用して特定の情報コードを表示させ、表示された情報コードをユーザーの携帯端末等で読み取らせることにより、取扱説明書に係る電子データをネットワークを介してダウンロード可能にすることが考えられている。
【０００５】
ところが、ユーザーが情報コードをリモコンに表示させたとしても、通常、リモコンの表示制御として省電力制御が行われ、情報コードの読み取り作業に不都合を生じさせるおそれがある。すなわち、リモコンの省電力制御では、通常、一旦表示させた後に操作等を行わないまま一定時間が経過すると、点灯状態のバックライトの輝度が例えば強から弱に切り換えられ、さらに一定時間が経過すると表示自体と共にバックライトも消灯されることになる。このため、ユーザーが表示された情報コードを携帯端末等の外部読み取り機器で読み取りさせている最中に、バックライトの輝度が変更されたり、表示自体がオフ（消灯）に切り換えられると、読み取り不良又は不能となるという不都合が生じるおそれがある。
【０００６】
そこで、本発明は、通常の表示制御とは別に、情報コードが表示されたときにはその情報コードを確実に読み取り可能な表示状態にして、ユーザーの使い勝手の向上を図り得る給湯器の表示装置を提供することを目的とする。
【課題を解決するための手段】
【０００７】
上記目的を達成するために、本発明は、所定の表示内容を表示するための表示部と、前記表示内容が記憶された記憶部と、前記表示部を照射するバックライトと、前記表示部に対する表示及び前記バックライトの作動を制御するための表示制御部とを備え、この表示制御部は、前記表示部への表示に対し前記バックライトを点灯させた状態が所定時間経過したとき、そのバックライトの輝度を弱く変更する省電力制御モードを備えた給湯器の表示装置を対象として次の技術的手段を講じた。すなわち、本発明は、前記表示制御部として、外部読み取り機器により読み取り可能な情報コードが前記表示部に前記情報コードが表示されているとき、前記省電力制御モードの実行を停止する構成とすることを特徴とする（請求項１）。
【０００８】
かかる本発明の給湯器の表示装置の場合、情報コードが表示されるときには、省電力モードの実行が停止されるため所定時間が経過しても暗く変更されることが回避され、バックライトを常時点灯状態に維持することが可能となり、表示された情報コードを外部読み取り機器により読み取る場合に、その情報コードを確実に読み取ることが可能となる。
【０００９】
表示装置の設置場所の近辺の照度を検出するための照度センサをさらに備えることができ、この場合、表示制御部として、照度センサにより検出された検出照度に応じて点灯中のバックライトの輝度を変更する構成とすることができる。照度に応じてバックライトの輝度を明暗微調整することができ、これにより、消費電力をできるだけ節約させることができるとともに、情報コードの読み取りに適した明るさの情報コード表示画面にすることができる。
【００１０】
又、省電力制御モードとして、給湯器の電源がオン状態で、かつ、給湯器の運転作動中の状態が所定の第１設定時間経過したとき、表示部に対する表示を継続しつつ、点灯状態のバックライトの輝度を弱く変更する一方、給湯器の電源がオン状態で、かつ、給湯器の非運転作動中の状態が所定の第２設定時間経過したとき、表示部に対する表示を継続しつつ、点灯状態にあるバックライトの輝度を弱く変更し、さらに、輝度変更したまま第３設定時間が経過したとき表示部に対する表示をオフにしかつバックライトを消灯する制御構成とすることができる。これにより、表示部に情報コードが表示される場合以外の場合には、表示のための必要なバックライト照射を確保しつつ、省電力を図ることができる。
【発明の効果】
【００１１】
以上説明したように、本発明の給湯器の表示装置によれば、情報コードが表示されるときには、省電力モードの実行が停止されるため所定時間が経過しても暗く変更されることを回避して、バックライトを常時点灯状態に維持することができ、表示された情報コードを外部読み取り機器により読み取る場合に、その情報コードを確実に読み取り可能な表示状態にすることができる。これにより、ユーザーの使い勝手の向上を図り得る給湯器の表示装置を提供することができる。
【図面の簡単な説明】
【００１２】
【図１】本発明の一実施形態に係る給湯器と、その表示装置としてのリモコンとの模式図である。
【図２】図１のリモコンの表示制御の基本内容を示すフローチャートである。
【図３】表示部の表示画面例を示し、図３（ａ）は情報コード以外の表示画面の例を示す正面説明図であり、図３（ｂ）は情報コード表示画面の例を示す正面説明図である。
【図４】図２の表示制御１の制御内容の例を示すフローチャートである。
【図５】図２の表示制御２の制御内容の例を示すフローチャートである。
【発明を実施するための形態】
【００１３】
図１は、本発明の一実施形態に係る給湯器及びその表示装置の模式図である。給湯器１は、少なくとも給湯機能を備えたものであり、かかる給湯器１は周知の如く、他に、ふろの湯張り機能や、ふろの追い焚き機能等を備えたものとすることができる。このような給湯器１は各機能の運転操作を行うためのコントローラとして１又は複数のリモコン３，４等を備え、本実施形態ではこれらリモコン３，４によって表示装置が構成されている。そして、各リモコン３，４は、給湯器１の制御部２と通信可能に接続され、各リモコン３，４からの操作信号等や、逆に制御部２からの表示信号又は動作信号等が送出可能となっている。これにより、リモコン３，４の後述の表示部に給湯機能等の運転状況に係る情報が表示可能となっている。リモコン３は例えば台所に、リモコン４は例えば浴室に、それぞれ設置される。
【００１４】
給湯器１の制御部２は、主としてマイコンにより構成され、予め記憶された制御プログラムに基づいて前記の給湯機能等が実現されるようになっている。又、制御部２は例えば二芯通信線を介して各リモコン３，４と接続され、これにより、各リモコン３，４は給湯器１側から電源供給を受けながら送信可能とされている。以下、主としてリモコン３について説明するが、リモコン４もリモコン３と同じ構成とすることができる。
【００１５】
リモコン３は、制御部３１、通信部３２、記憶部３３、表示部３４、バックライト３５及び照度センサ３６を備えて構成されている。なお、図示を省略するが、リモコン３はこれらの他に電源回路等を備えており、スピーカや音声回路を備えることができる。
【００１６】
制御部３１は、主としてマイコンにより構成され、ＣＰＵ、ＲＯＭ，ＲＡＭ、及び、信号入出力回路等を備えて構成されている。かかる制御部３１は通信部３２を介して給湯器１の制御部２と通信可能となっている。そして、ＲＯＭに保持されたリモコン用の制御プログラムをＣＰＵにより実行することによって操作受付処理の他に表示制御部としても機能するようになっている。
【００１７】
記憶部３３は例えばＥＥＰＲＯＭにより構成することができ、記憶部３３には表示部３５に表示するための表示内容、例えばメニュー画面、各種設定操作をするための表示画面、運転作動状況を表示するための表示画面、及び、所定の情報コードを表示するための表示画面等の表示データが予め記憶されている。前記情報コードとしては例えばバーコードや、ＱＲコード（登録商標）の如き二次元コード等を用いることができ、本実施形態では給湯器１の取扱説明書に係る電子データをダウンロード可能に提供するウエブサイトのＵＲＬ（アドレス情報）を表すものとして予め情報コードが生成されて記憶されている。
【００１８】
表示部３４は主としてドットマトリックスＬＣＤ（Liquid Crystal Display）と、タッチパネルとで構成され、バックライト３５が組み合わされている。タッチパネルは、例えば静電容量方式のもので構成することができ、電極の静電容量や電界の変化を判定することによりタッチ入力の有無やそのタッチ位置の座標情報を検出して制御部３１に出力することができる。この座標情報と、表示されている表示画面とにより、制御部３１は、ユーザーによる運転操作、表示切換操作、又は、設定操作等のスイッチ操作を検出する。これにより、タッチパネルはスイッチ部として機能する。又、運転操作等に係るスイッチについては、タッチパネルによるスイッチ部に加えて、あるいは、タッチパネルに代えて、物理スイッチを搭載することができる。
【００１９】
バックライト３５は例えばＬＥＤ光源を備え、制御部３１による表示制御により、輝度を変更可能に構成されている。すなわち、後述の如く、所定の強・弱２段階の標準輝度間で輝度切換可能とされる他、印加電圧をデューティ比制御することで標準輝度を無段階又は所定比率で輝度変更可能とされ、これにより、後述の如くリモコン３の設置空間又は設置場所近辺の照度に応じて明暗調整可能とされている。
【００２０】
照度センサ３６は、リモコン３の適所に設置され、リモコン３の設置場所（例えば設置された壁面の近傍領域）の照度を検出して制御部３１に出力する。制御部３１は、後述の見如く、照度センサ３６の検出照度に基づいてバックライト３５の輝度を変更調整するようになっている。
【００２１】
以下、図２に基づいて制御部３１の基本表示制御について説明すると、まず、給湯器１が電源オン状態であることを条件に制御が開始され、表示部３４に対し情報コードを表示するための表示操作が行われたか否かを判定する（ステップＳ１）。かかる表示操作は、予め定められたメニュー画面からユーザーにより情報コード表示のための選択操作が行われ、その操作信号の出力を受けて判定することができる。あるいは、例えばかかる選択操作に係る操作信号が出力されると、専用のフラグを立てて、そのフラグ内容（フラグ内容が例えば「０」か「１」か）によって判定するようにしてもよい。
【００２２】
そして、情報コードを表示するための表示操作が行われていなければ（ステップＳ１でＮＯ）、表示制御１を実行し（ステップＳ２）、情報コードを表示するための表示操作が行われたときは（ステップＳ１でＹＥＳ）、情報コードを表示するための専用の表示制御２を実行する（ステップＳ３）。
【００２３】
情報コードを表示するための表示操作以外の操作、つまり、運転操作のための表示画面、もしくは、設定操作のための表示画面等を表示するための表示操作や、それらの表示画面を用いた運転操作もしくは設定操作が行われた場合には、省電力を意図した省電力制御モードとして表示制御１が実行される。このような表示画面の例として、図３（ａ）に示すような設定操作（音量設定操作）のための表示画面を挙げることができる。
【００２４】
又、情報コードを表示するための表示画面の例として、図３（ｂ）に示すような情報コード表示画面を挙げることができる。図３（ｂ）の例は、取扱説明書のダウンロード表示画面であり、右側部分にダウンロード用のウエブページのＵＲＬを表すＱＲコード（登録商標）が表示され、左側にその説明が文字情報により表示される。
【００２５】
表示制御１は、図４に示すように、まず、給湯運転中であるか否かを判定し（ステップＳ１１）、給湯運転中であれば（ステップＳ１１でＹＥＳ）、その給湯運転開始から第１設定時間が経過したか否かを判定する（ステップＳ１２）。未経過であれば（ステップＳ１２でＮＯ）、表示部３４に所定の表示画面（メニュー画面等の初期設定画面や、切換操作された表示画面）を表示状態にし（表示ＯＮ）、バックライト３５もその輝度を強状態にして点灯状態にする（ステップＳ１３）。
【００２６】
そして、第１設定時間が経過すれば（ステップＳ１２でＹＥＳ）、前記の表示状態（表示ＯＮ）を維持したままバックライト３５の輝度を弱状態に切換える（ステップＳ１４）。これにより、表示部３４に表示された表示画面は明状態から、消灯状態ではないものの所定の暗状態に切り替わる。この状態が給湯運転が続く限り（ステップＳ１１でＹＥＳ）、継続される（ステップＳ１２，Ｓ１４）。
【００２７】
一方、給湯器１が給湯運転中でなければ（ステップＳ１１でＮＯ）、給湯運転終了から第２設定時間が経過したか否かを判定する（ステップＳ１５）。未経過であれば（ステップＳ１５でＮＯ）、表示部３４に前記と同様の表示画面を表示状態にし（表示ＯＮ）、バックライト３５を点灯状態（例えば輝度が強状態の点灯状態）に継続させる（ステップＳ１６）。そして、第２設定時間が経過すれば（ステップＳ１５でＹＥＳ）、前記の表示状態（表示ＯＮ）を維持したままバックライト３５の輝度を弱状態に切換え（ステップＳ１７）、さらに、その輝度変更から第３設定時間経過したか否かを判定し（ステップＳ１８）、この第３設定時間が経過するまで前記の輝度が弱状態の点灯状態を維持し（ステップＳ１８でＮＯ，ステップＳ１７）、第３設定時間が経過すれば（ステップＳ１８でＹＥＳ）、表示をオフにしバックライト３５を消灯させる（ステップＳ１９）。以後、給湯運転が再開されるまで、消灯状態を継続する。
【００２８】
なお、図示を省略しているが、この間にリモコン３に対する何らかの操作（例えば運転操作，表示切換操作等）が行われると、給湯運転が停止状態であっても、表示部３４及びバックライト３５に対する制御を再開させるようになっている。例えば、ステップＳ１６の処理の後、その操作が行われたときから第２設定時間の経過によりステップＳ１７を実行し、ステップＳ１８及びステップＳ１９を実行させることができる。
【００２９】
表示制御２は、図５に示すように、情報コードを表示するための表示操作（図２のステップＳ１でＹＥＳ）の後に、その情報コードを表示するための表示操作以外の他の表示操作（例えば他の表示画面へ切換操作）が無ければ（ステップＳ２１でＮＯ）、表示部３４に情報コード表示画面（図３（ｂ）参照）を表示し、バックライト３５を点灯状態に維持させる（ステップＳ２２）。この場合のバックライト３５の輝度は前述の強状態にしてもよいし、情報コードの読み取りに適したものとして別途設定された標準強度の輝度にしてもよい。なお、もしも、情報コードを表示するための表示操作以外の表示操作が有れば（ステップＳ２１でＹＥＳ）、図２のステップＳ１に戻り、情報コードを表示するための表示操作ではないため（ステップＳ１でＮＯ）、ステップＳ２の表示制御１が実行されることになる（ステップＳ２）。
【００３０】
そして、照度センサ３６からの検出照度が基準照度よりも低い（基準照度以下）、つまり、リモコン３の設置場所の近辺領域の光量が少なくて薄暗ければ（ステップＳ２３でＹＥＳ）、バックライト３５の輝度を低減（減光）する（ステップＳ２４）。逆に、検出照度が基準照度より高い、つまり、リモコン３の設置場所の近辺領域の光量が多くて明るければ（ステップＳ２３でＮＯ）、バックライト３５の輝度を増大させる（ステップＳ２５）。以上により、照度に応じてバックライト３５の輝度を明暗調整することができ、消費電力をできるだけ節約させることができるとともに、情報コードの読み取りに適した明るさの情報コード表示画面にすることができる。なお、以上のステップＳ２３〜Ｓ２５の照度に応じた明暗調整制御は、表示制御２においてはこれを省略することができる。
【００３１】
以上の表示制御２では、情報コード表示画面が表示されるときには、バックライト３５は常時点灯状態に維持され、その後、それ以外の他の表示操作がユーザーにより行われない限り（図２のステップＳ１でＹＥＳ，ステップＳ２１でＮＯ）、その常時点灯状態が継続される。これにより、情報コード表示画面に表示された情報コードを外部読み取り機器により読み取る場合に、その情報コードを確実に読み取ることができるようになる。
【００３２】
ここで、外部読み取り機器としては、カメラ機能を有しネットワークを介した通信が可能な通信端末を用いることができ、例えばスマートフォン、タブレット端末や、パーソナルコンピュータを用いることができる。例えばスマートフォンの場合、そのカメラで情報コードとしてＱＲコード（登録商標）の表示画像を撮像し、撮像した画像がＱＲコード（登録商標）と判定されると、そのＱＲコードが逆変換されてアドレス情報（ＵＲＬ情報）に変換され、そのＵＲＬ情報に基づいてネットワークを介して該当するウエブページの表示が可能となる。
【００３３】
本発明は、上記実施形態に限定されるものではなく、適宜設計変更できる。例えば、前記実施形態では給湯器の表示装置としてリモコン３を示したが、これに限らず、給湯器１に係る情報コードが表示可能な表示装置であれば本発明を適用することができる。例えば、給湯器１の筐体に設けた表示装置であってもよいし、運転操作等が可能なコントローラとしてのリモコンではなくて単なる表示機能のみで構成された表示装置であってもよく、これらに対し本発明を適用することができる。
【符号の説明】
【００３４】
３１    制御部（表示制御部）
３３    記憶部
３４    表示部
３５    バックライト
３６    照度センサ
【図１】
2018136111.tif 000003
【図２】
2018136111.tif 000004
【図３】
2018136111.tif 000005
【図４】
2018136111.tif 000006
【図５】
2018136111.tif 000007